(57)【要約】【課題】耕耘装置の後部に移動用の尾輪を装着して耕耘作業を行なう歩行型耕耘機において、前記尾輪の陥没跡を目立たないように整地する。【解決手段】耕耘装置１５の上方を覆う耕耘カバー２２の後部にリヤカバー２５を上下揺動自在に支持すると共に、前記リヤカバー２５の後端に錐体３０を取り付けることによって、当該当該リヤカバー２５の自重による整地作用に加えて、その後端部の接地荷重を錐体３０分ほど増加させることができるので、耕耘装置１５により耕耘した圃場表面Ｇを効率よく整地できるようになる。【選択図】図１
2008043289.tif 000002
【特許請求の範囲】
【請求項１】
耕耘装置（１５）の上方を覆う耕耘カバー（２２）の後部にリヤカバー（２５）を上下揺動自在に支持した歩行型耕耘機において、前記リヤカバー（２５）の後端に錐体（３０）を取り付けたことを特徴とする歩行型耕耘機。
【請求項２】
耕耘装置（１５）の後部に移動用の尾輪（２６）を備える請求項１に記載の歩行型耕耘機。
【発明の詳細な説明】
【技術分野】
【０００１】
本発明は、耕耘装置の上方を覆う耕耘カバーの後部にリヤカバーを上下回動自在に支持した歩行型耕耘機に関する。
【背景技術】
【０００２】
従来、自走機体の後部にロータリ型耕耘装置を連結した歩行型耕耘機においては、その耕耘ロータの上方を覆うロータリカバーと後方を覆う上下２つの後カバーを設け、これら上下２つの後カバーのうち、下側の後カバーのみを上下揺動自在に構成することによって、耕耘ロータの点検作業をやり易くすると共に、耕耘した圃場表面を下側の後カバーの自重により整地できるようにしたものが知られている（例えば、特許文献１参照）。
【特許文献１】実開昭６２−１０７６０４号公報（第４−６頁、図１−図２）
【発明の開示】
【発明が解決しようとする課題】
【０００３】
しかし、上述した特許文献１の後カバー（下部カバー）の自重による整地作用は十分なものではなく、特にロータリ耕耘装置の後部に移動用の尾輪を装着して耕耘作業を行なう場合は、この尾輪の陥没跡を目立たないように整地することが困難であり、この不具合を改善することを期待されていた。
【課題を解決するための手段】
【０００４】
本発明は、上記課題を解決することを目的として創案したものであって、耕耘装置の上方を覆う耕耘カバーの後部にリヤカバーを上下揺動自在に支持した歩行型耕耘機において、前記リヤカバーの後端に錐体を取り付けたことを第１の特徴としている。
そして、耕耘装置の後部に移動用の尾輪を備えることを第２の特徴としている。
【発明の効果】
【０００５】
本発明によれば、耕耘カバーの後部に上下揺動自在に支持したリヤカバーの後端に錐体を取り付けたことによって、当該リヤカバーの自重による整地作用に加えて、その後端部の接地荷重を錐体分ほど増加させることができるので、耕耘装置により耕耘した圃場表面を効率よく整地できるようになる。
そして、耕耘装置の後部に移動用の尾輪を備える場合には、この尾輪の陥没跡が目立たないように圃場表面を整地することができる。
【発明を実施するための最良の形態】
【０００６】
本発明の実施の形態を図面に基づいて説明する。図１は、本発明が適用される歩行型耕耘機１１の側面図であって、この歩行型耕耘機１１は、機体フレームを構成する側面視で略へ字状のミッションケース１２が中央に配設されており、このミッションケース１２の前側下部に車軸１３を軸架して走行車輪１４を取付ける一方、ミッションケース２の後側下部にはロータリ耕耘装置１５の耕耘軸１６を横架すると共に、該耕耘軸１６の周囲に図示しない複数本の耕耘爪を植設している。
【０００７】
そして、ミッションケース１２の前方に取付けたエンジンフレーム１７上にエンジン１８を載置してあり、このエンジン１８の一側に配設したベルトカバー１９内に設けられている図示しないプーリー、Ｖベルト等を介して、エンジン１８の駆動力をミッションケース１２内に伝達すると共に、該ミッションケース１２内の変速機構によって変速された動力を走行車輪１４やロータリ耕耘装置１５に伝達するように構成してある。
【０００８】
また、ミッションケース１２の上部から後上がり傾斜でハンドル２０が延出してあり、このハンドル２０の握り部２０ａをオペレータが把持した状態で歩行型耕耘機１１を走行させながらロータリ耕耘装置１５を回転駆動させることによって、圃場の耕耘作業を行なうことができるようになっている。
【０００９】
尚、ハンドル２０には、操作具としてメインクラッチレバー２１が設けてあり、このメインクラッチレバー２１を操作することによって、エンジン１８とミッションケース１２との間に介設した図示しないテンションクラッチ機構を介して、当該エンジン１８とミッションケース１２間の動力の断接がなされる。
【００１０】
そして、ロータリ耕耘装置１５の上方を覆う耕耘（ロータリ）カバー２２は、側面視で略湾曲状に形成されると共に、この耕耘カバー２２の中央に一体的に固着したロータリフレーム２３を介してミッションケース１２に螺設されている。
【００１１】
また、耕耘カバー２２の左右両側には、サイドカバー２２ａを付設すると共に、耕耘カバー２２の前後には、ロータリ耕耘装置１５から放擲される耕耘土壌の飛散を防止するゴム製のフロントカバー２４と鉄板製のリヤカバー２５を取付けている。尚、ロータリフレーム２３の後端には、高さ調節可能な尾輪２６を設けている。
【００１２】
更に詳しくは、フロントカバー２４は、図１及び図２に示すように、ロータリフレーム２３と耕耘カバー２２の左右前端部とを強固に固着するプレート状の補強部材２７Ｌ，２７Ｒに、側面視で円弧状に形成した図示しない押さえ板を介して挟まれた状態で螺設してあり、それによってフロントカバー２４は、前記押さえ板の前端形状に沿って彎曲癖が付けられた状態で垂れ下がり、当該フロントカバー２４と図示しない耕耘爪が直接干渉しないように構成してある。
【００１３】
また、上述したリヤカバー２５は、上下２つのカバー２５ａ，２５ｂからなり、これら上下２つのリヤカバー２５ａ，２５ｂのうち、上側のリヤカバー２５ａは、耕耘カバー２２の後部に横設した取付ステー２８に複数の蝶番２９を介して上下揺動自在に取り付けてある。
【００１４】
一方、下側のリヤカバー２５ｂは、上側のリヤカバー２５ａの後端に複数の蝶番２９を介して上下揺動自在に取り付けられると共に、この下側のリヤカバー２５ｂの後端下面に棒状の錐体３０を横設している。尚、本実施例では、外観上の違和感がないように下側のリヤカバー２５ｂの下面側に棒状の錐体３０を溶接固定しているが、下側のリヤカバー２５ｂの上面側に棒状の錐体３０を横設してもよく、更には当該リヤカバー２５ｂに対して錐体３０を着脱できるように取り付けてもよい。
【００１５】
即ち、上述の如くリヤカバー２５ｂの後端下面に棒状の錐体３０を取付けることによって、当該リヤカバー２５ｂの自重による整地作用に加えて、その後端部の接地荷重を錐体３０分ほど増加させることができるので、ロータリ耕耘装置１５により耕耘した圃場表面Ｇを効率よく整地できるようになる。
【００１６】
更に詳しくは、従来は、ロータリ耕耘装置１５の後部に移動用の尾輪２６を装着して耕耘作業を行なう場合、下側のリヤカバー２５ｂの自重のみによる整地作用は十分なものではなく、図３（ａ）に示すような尾輪２６の陥没跡Ｔを目立たないように整地することが困難であったが、本実施例の如く下側のリヤカバー２５ｂの後端に棒状の錐体３０を取り付けることによって、図３（ｂ）に示すように尾輪２６の陥没跡Ｔが目立たないように圃場表面Ｇを整地することができる。
【００１７】
この時、図１に示すように、ロータリ耕耘装置１５により圃場表面Ｇから深さＨの耕耘がなされ、更に図１には、この耕耘作業状態における尾輪２６及び下側のリヤカバー２５ｂの圃場表面Ｇに対する相対的な高さ位置を図示している。そして、下側のリヤカバー２５ｂの後端には、図２に示すように、平面視で鋸刃状の整地作用部Ｅを設けてあり、それによって図３（ｂ）に示すような略波形の整地断面が形成されるようになっている。
【００１８】
また、上側のリヤカバー２５ａの後端に上下揺動自在に取り付けられている下側のリヤカバー２５ｂには、この下側のリヤカバー２５ｂを図１に二点鎖線で示すように上方に揺動させた状態で、上側のリヤカバー２５ａの略中央に上下回動可能に設けたフック３１に係止させる係合孔Ｈ１（図２参照）を設けてあり、それによってロータリ耕耘装置１５を構成する複数本の耕耘爪の機体後側からの点検作業をやり易くしている。
【００１９】
尚、上述の如く下側のリヤカバー２５ｂを上方に揺動させてフック３１で係止した二点鎖線で示す状態では、ロータリ耕耘装置１５による深い耕耘がなされる一方、下側のリヤカバー２５ｂを上下揺動自在に垂れ下げた実線で示す状態では、ロータリ耕耘装置１５による比較的浅い耕耘がなされる。
【図面の簡単な説明】
【００２０】
【図１】歩行型耕運機の側面図。
【図２】耕耘カバー及びリヤカバーの平面図。
【図３】リヤカバーによる整地作用状態をモデル的に示す圃場面の断面図。
【符号の説明】
【００２１】
２    伝動ケース
１５  耕耘装置
２２  耕耘カバー
２５  リヤカバー
２６  尾輪
３０  錐体
【図１】
2008043289.tif 000003
【図２】
2008043289.tif 000004
【図３】
2008043289.tif 000005